(57)【要約】  本発明は、近位端（２８）および遠位端（２２）を有するハウジング（１０）；カートリッジを保持するように適合されるカートリッジホルダ（１４）で、ハウジング（１０）に固着され、少なくとも部分的に透明な側壁を有する、カートリッジホルダ（１４）；および薬物送達デバイスの遠位端（２２）を覆うことができるキャップ（４０）で、ハウジング（１０）に対して回転自由に可動であり、そして、カートリッジホルダ（１４）によって可視化される情報を表示可能な窓開口部（４４）を含んでなるキャップ；を含んでなる薬物送達デバイス（５）に関する。  さらにまた、薬物送達デバイス（５）の遠位端（２２）を覆うためのキャップ（４０）の使用が開示されている。
2012513271.tif 000002
【特許請求の範囲】
【請求項１】
薬物送達デバイスであって、
近位端（２８）および遠位端（２２）を備えるハウジング（１０）；
カートリッジを保持するように適合されるカートリッジホルダ（１４）で、ハウジング（１０）に固着され、少なくとも部分的に透明な側壁を有する、カートリッジホルダ（１４）；および
薬物送達デバイスの遠位端（２２）を覆うことができるキャップ（４０）で、ハウジング（１０）に対して回転自由に可動であり得、そしてカートリッジホルダ（１４）によって可視化される情報を表示可能な窓開口部（４４）を含んでなるキャップ（４０）；
を含んでなる、上記薬物送達デバイス。
【請求項２】
ピストン・ロッド（２４）を含んでなり、ピストン・ロッド（２４）は、ピストン（２６）をカートリッジ（１６）に係合させるようにピストン（２６）を駆動するように適合され、カートリッジ（１６）内のピストン（２６）の位置が窓開口部（４４）を通して見える、請求項１に記載の薬物送達デバイス。
【請求項３】
窓開口部（４４）がカートリッジホルダ（１４）に取り付けられた情報を表示する、請求項１または２に記載の薬物送達デバイス。
【請求項４】
窓開口部（４４）がカートリッジホルダ（１４）の少なくとも部分的に透明な側壁を通してカートリッジ（１６）から伝達される情報を表示する、請求項１〜３のいずれか１項に記載の薬物送達デバイス。
【請求項５】
表示される情報が投与量スケール（６０）を含む、請求項１〜４のいずれか１項に記載の薬物送達デバイス。
【請求項６】
投与量スケール（６０）がカートリッジホルダ（１４）上に印刷されるかまたは成形される、請求項５に記載の薬物送達デバイス。
【請求項７】
投与量スケールが、遠位端（２２）および近位端（２８）間の長手方向軸線（５４）に対して回転対称にカートリッジホルダ（１４）上に備えられる、請求項５または請求項６に記載の薬物送達デバイス。
【請求項８】
少なくとも１つの記号が、投与量スケールに関連する更なる情報を提供するようにキャップ（４０）上に印刷される、請求項５〜７のいずれか１項に記載の薬物送達デバイス。
【請求項９】
少なくとも１つの記号が、投与量スケールに関連する更なる情報を提供するようにキャップ（４０）上へ成形される、請求項５〜８のいずれか１項に記載の薬物送達デバイス。
【請求項１０】
複数の記号が存在し、これらの記号が数字を含んでなる、請求項５〜７のいずれか１項に記載の薬物送達デバイス。
【請求項１１】
窓開口部（４４）が複数の副窓（７０）を含んでなる、請求項１〜１０のいずれか１項に記載の薬物送達デバイス。
【請求項１２】
副窓（７０）が、前進移動するスケールとして投与量情報を示す、請求項１１に記載の薬物送達デバイス。
【請求項１３】
キャップ（４０）が射出成形プラスチックから製作される、請求項１〜１２のいずれか１項に記載の薬物送達デバイス。
【請求項１４】
キャップ（４０）が保持部材を含んでなり、この保持部材がハウジング上の対応する嵌め合い保持部材に回転自由に係合可能である、請求項１〜１３のいずれか１項に記載の薬物送達デバイス。
【請求項１５】
近位端（２８）および遠位端（２２）を有するハウジング（１０）、カートリッジ（１６）を保持するように適合されるカートリッジホルダ（１４）を備え、カートリッジホルダ（１４）がハウジング（１０）に固着される薬物送達デバイス（５）の遠位端（２２）を覆うためのキャップ（４０）の使用であって、窓開口部（４４）を含んでなり、この窓開口部（４４）がカートリッジホルダ（１４）によって可視化される情報を表示することが可能である、上記キャップ（４０）の使用。
【発明の詳細な説明】
【技術分野】
【０００１】
本発明は薬物送達デバイスに関する。さらにまた、本発明は、薬物送達デバイスの遠位端を覆うためのキャップの使用に関する。
【背景技術】
【０００２】
薬物送達デバイスは、医薬製品（たとえばインスリン、成長ホルモンまたは他の薬剤）、特に患者による自己投与に適した医薬製品の投与用のものが一般的に知られている。
【０００３】
或る種の薬物送達デバイスは、複数の薬剤を投与するように構成されている。このような薬物送達デバイスの特別な例の１つが、特許文献１に記載されている。そこには、使用者が操作できる薬物送達デバイスが示されている。この薬物送達デバイスは、ペン型注射器で使用するのに適した駆動機構を包含し、多数の予めセットした医薬製品が投与され得る。患者の皮膚内に医薬製品を投与するためのニードルユニットが薬物送達デバイスに取り付けられることが可能である。使用後、薬物送達デバイスの遠位端がキャップで蓋をすることができる。
【０００４】
さらに、或る種の薬物送達デバイスは、投与されることになっている異なった投与分量を設定できるように構成されている。
【０００５】
薬物送達デバイスが、使用後にキャップで蓋をされて注射針との接触や薬物送達デバイスの汚染を防ぐのが一般的に望ましい。
【０００６】
特許文献２に、薬剤注射装置の投与分表示組立体が示されている。この投与分表示組立体は、軸線方向に延びる外側ハウジング胴と、ハウジング胴内に少なくとも部分的に配置されたダイヤルとを包含する。ダイヤルは、投与量設定時にハウジング胴に対して軸線方向に動かせるように螺合させてある。ダイヤルは、その上に与えられる複数の平行列の投与分量マークを設けた外側半径方向周面を包含し、複数の投与分量マーク列の各々は、周面上に螺旋状のパターンで設けられている。投与分表示組立体は、複数列の１つを選んでその投与分量マークを見るための手段も包含する。
【０００７】
特許文献３には、注射可能な液体を満たすようになっている注射器本体を有し、そして、軸線を定めている環状ネック部を有し、そして、軸線方向外方に開いた出口を有する注射器組立体が示されている。ネック部は注射針を支えるようになっている。軸線方向内方でネック部と係合させられた弾性のあるプラグが出口を閉じ、そして、保持リングがプラグ下方でネック部に固定されている。ネック部まわりにある保持スリーブが保持リングに固定されており、そして、カップ型の安全キャップがプラグに固定されている。安全キャップには、少なくとも１つの半径方向に貫通する孔が形成してあり、この孔により、最終使用者が、キャップにひびが入る前にプラグが正しく所定位置にあるかどうかを観察できる。
【０００８】
ハウジングにスケールが設けてある別の射出装置が、特許文献４から知られている。
【先行技術文献】
【特許文献】
【０００９】
【特許文献１】ヨーロッパ特許第１９２３０８４Ａ１号
【特許文献２】米国特許第２００８／０２６９６８８Ａ１号
【特許文献３】米国特許第６，４９１，６６５号
【特許文献４】ＤＥ２９８１８７２１Ｕ１
【発明の概要】
【課題を解決するための手段】
【００１０】
改良した薬物送達デバイスを提供することが本発明の一目的である。特に、操作中または操作後に使用者が効果的に情報を見つけることができる薬物送達デバイスが提供されるはずである。
【００１１】
このために、薬物送達デバイスは、近位端および遠位端を有するハウジングと、カートリッジを保持するようになっているカートリッジホルダであって、ハウジングに固着されていて、少なくとも部分的に透明な側壁を有するカートリッジホルダと、薬物送達デバイスの遠位端を覆うことができ、ハウジングに対して回転可能に固定されるキャップとを包含し、そして、このキャップは窓開口部を包含し、この窓開口部は、カートリッジホルダによって可視化される情報を表示できる。
【００１２】
このようにして、薬物送達デバイスは、少なく１つの窓開口部を包含できる。窓開口部は、カートリッジホルダによって可視化される情報を表示できるように構成されているとよい。
【００１３】
このような薬物送達デバイスにおいて、カートリッジホルダは、ハウジングに対して恒久的または取り外し自在に固定される。カートリッジホルダは、薬物送達デバイスの遠位端にあるキャップによって蓋をされる。キャップの係合後、カートリッジホルダによって可視化される情報は、窓開口部を通して表示され得る。
【００１４】
さらにまた、キャップ、カートリッジホルダおよびカートリッジは、カートリッジホルダによって可視化される情報が窓開口部を通して観察され、使用者が薬物送達デバイスに関する情報を迅速に得ることができるように構成され得る。カートリッジホルダにより提供される情報は、窓開口部を通して選択的に表示され得る。特に、使用者の関心を引かない可能性のある情報や使用者に混乱を招く恐れのある情報、たとえば、カートリッジホルダの製造番号は、窓開口部から軸線方向にオフセットされ、効果的に隠され得る。したがって、使用者にとって重要な情報、たとえば、医薬製品についての情報は、よりはっきりした方法、すなわち、視覚的に混乱を招かない方法で提供される。特に、使用者は、薬物送達デバイスからキャップを取り外すことなく、充填状況、医薬製品のタイプ等に関する情報を受け取ることができる。
【００１５】
このことは、使用者が異なった医薬製品での治療を求めているときに特に有用である。本発明によれば、一組の薬物送達デバイスが、いくつかもしくは全部からキャップを取り出すことなく、容易に使用者により区別され得る。
【００１６】
別の実施形態においては、薬物送達デバイスは、ピストン・ロッドを包含し、このピストン・ロッドは、ピストンを駆動してカートリッジ内へピストンを係合させるようになっており、カートリッジ内のピストンの位置は窓開口部を通して見ることができる。
【００１７】
薬剤が薬物送達デバイスから送り出されるとき、ピストンはカートリッジの遠位端に向って前方へ連続的に移動する。少なくとも部分的に透明な側壁を通してピストンの位置が使用者から見える。したがって、窓開口部を通してピストンを見ることによって薬物送達デバイスの充填状況が容易に認識され得る。
【００１８】
このことは、使用者が一組の使い捨て薬物送達デバイスが関係する投薬方針で治療を受ける必要があるときに特に有用である。この実施形態によれば、組になった使い捨て薬物送達デバイスのうち各薬物送達デバイスについての充填状況情報が、窓開口部を通して容易に見つけられ得る。
【００１９】
別の実施形態においては、窓開口部は、カートリッジホルダに取り付けられた情報を表示する。
【００２０】
この実施形態によれば、使用者は、カートリッジホルダに設けられた情報を見ることができる。この情報としては、カートリッジに入れられた医療製品のタイプを含み得るが、この情報は医薬製品の処方箋等と関連している。窓開口部を通して情報を表示することは、薬物送達デバイスを消耗品として使用するときに特に有用である。この場合、通常は、１つの特殊な医薬製品だけが分配される。窓開口部の位置から軸線方向にオフセットしたカートリッジホルダ上に設けられた混乱を招く情報は、窓開口部がカートリッジホルダに設けられた情報を選択的に見つけるのを可能にするので、キャップにより隠されてもよい。それ故、使い勝手が良い薬物送達デバイスの提供が促進される。
【００２１】
別の実施形態においては、窓開口部は、カートリッジホルダの少なくとも部分的に透明な側壁を通してカートリッジから伝えられる情報を表示する。
【００２２】
この実施形態によれば、カートリッジに直接取り付けられている情報が、窓開口部を通して選択的に表示され得る。通常、カートリッジは、その中味に応じてラベル付けされ得る。したがって、薬物送達デバイスの潜在的な誤用のリスクは、特に患者が異なった医薬製品を用いる必要があるときにかなり減らされる。充填状況および他のタイプの情報が恒久的に表示されるので、キャップがハウジングに取り付けられているときにさえ、使用者が薬物送達デバイスを開くことなく常時関連した情報を集めることができるということで、薬物送達デバイスの操作は改善される。それ故、たとえば、異なった装置の中から選択するという時間のかかる作業はもはや必要なくなる。
【００２３】
さらにまた、窓開口部の下になったカートリッジホルダの部分のみが使用者に見えるので、窓開口部は、表示された情報を枠で囲むことになる。したがって、情報が、よりはっきりした方法で、すなわち、視覚的に混乱のより少ない方法で与えられる。
【００２４】
一実施形態において、表示された情報は、投与量スケールを包含する。
【００２５】
この実施形態によれば、使用者は、薬物送達デバイスの充填状況に関する重要な情報を与えられる。この情報は、使用者が多数の使い捨て薬物送達デバイスが関係する投薬方針で治療を受ける必要があるときに特に有用である。そこでは、異なった薬物送達デバイスが、通常、１つのキット内に収容される。使用者は、同じ仕切られた部分、たとえば、箱等の中のキットの使用済み、未使用の薬物送達デバイスを保管することを望むかもしれない。この実施形態によれば、充填状況情報がキャップを取り外すことなく投与量スケールを通して容易に見つけられ得るので、正しい薬物送達デバイスの選択が容易になる。ピストン・ロッドにより駆動される前進するピストンと組み合わせることで、ピストンの位置によって与えられる充填状況情報は、さらに、カートリッジ内に残っている多数回分の投与量に変換され得る。
【００２６】
別の実施形態においては、キャップは２つの窓開口部を包含する。窓開口部は、軸線方向に、好ましくは、互いに斜めにオフセットして配置されてもよい。窓開口部のうちの１つは、カートリッジに入っている医薬製品についての情報を与えるように配置されるとよい。この情報は、たとえば、カートリッジホルダによって可視化される情報であり得る。他方の窓開口部は、たとえば、投与量スケールについての情報を与えるように配置されるとよい。
【００２７】
別の実施形態においては、投与量スケールは、カートリッジホルダに印刷または成形される。
【００２８】
この実施形態によれば、投与量スケールは、たとえば、カートリッジホルダに対して良好なコントラストを可能にするそれぞれの色を与えることによって、視認性が良好なように設計され得る印刷記号として設けられることが可能である。投与量スケールは、カートリッジホルダの、たとえば、印刷または射出成形による製造中に予め設けることができる。このことは、必要な製造工程数を減らし、そうすれば、製造コストの低減にも寄与し得る。
【００２９】
別の実施形態においては、投与量スケールは、近位端、遠位端間にある長手方向軸線に対してカートリッジホルダ上の少なくとも部分的に回転方向に対称的な位置に設けられる。
【００３０】
この実施形態においては、投与量スケールは、カートリッジホルダに対するキャップのすべてまたはほとんどすべての異なった向きにおいて窓開口部を通して見ることができる。投与量スケールは、カートリッジホルダ上の環状円、扇形部分またはチャック・マーク状に設けた線形要素であってもよい。こうして、使用者は、カートリッジホルダ上のキャップの実際の向きにかかわりなく投与量スケールを見ることができる。
【００３１】
別の実施形態においては、少なくとも１つの記号が、キャップに印刷またはマーク付けされており、投与量スケールに関する別の情報を与える。
【００３２】
この実施形態によれば、投与量情報が別の情報、たとえば、薬物送達デバイスに入れられたカートリッジの空になるのが差し迫っているという情報と関連させることができるので、使用者の注意が喚起される。それ故、薬物送達デバイスの操作性が改善される。
【００３３】
別の実施形態においては、少なくとも１つの記号が、キャップに成形されており、投与量スケールに関する別の情報を与える。
【００３４】
この実施形態においては、別の情報は、たとえば、射出成形によってカートリッジホルダの製造中に予め与えられ得る。このことは、必要な製造工程数を減らし、そうすれば、製造コストの低減にも寄与し得る。
【００３５】
別の実施形態において、複数の記号が存在する。そして、記号は数字からなる。
【００３６】
この実施形態においては、薬物送達デバイスの充填状況は、窓開口部の下を連続的に前進移動するピストンにより表示される。したがって、カートリッジ内のピストンの位置は、部分的に透明なカートリッジホルダを通して見ることができる。さらにまた、充填状況に関する情報、すなわち薬物送達デバイスから投与されることになっている残りの薬剤投与回数についての情報が、はっきりした、混乱の少ない方法で使用者に与えられる。
【００３７】
別の実施形態においては、窓開口部は複数の副窓を包含する。
【００３８】
窓開口部を複数の副窓に細分化することによって、表示されている情報を枠で囲み、薬物送達デバイスからの情報を見つけようとしている試みに使用者を導く。したがって、カートリッジまたはカートリッジホルダ上に示されるかもしれない不必要な、または、混乱を招く情報は、適切な方法で副窓の位置を選択することにより隠され得る。したがって、窓開口部の副窓により行われる枠付けにより、表示されるべき情報の予選定が可能となり、そして、よりはっきりした方法、すなわち、使用者に視覚的に混乱を招くことの少ない方法で情報が与えられる。
【００３９】
別の実施形態においては、副窓は、連続的なスケールとして投与量情報を表示する。
【００４０】
この実施形態においては、薬物送達デバイスの充填状況に関する情報は、窓開口部の対応する副窓の下を連続的に移動、前進するピストンにより表示される。したがって、カートリッジ内のピストンの位置は、部分的に透明なカートリッジホルダを通して見ることができる。さらにまた、充填状況に関する情報は、使用者にとって馴染みのある形、たとえば、燃料計またはバッテリ充電レベル表示器と同様の形で与えられる。薬物送達デバイスから投与されるべき残留投与分量についての情報は、薬物送達デバイスに関する他の情報と区別されることができ、したがって、はっきりした、混乱の少ない方法で与えられる。
【００４１】
別の実施形態においては、キャップは、射出成形プラスチックから製作される。
【００４２】
この実施形態によれば、キャップの設計が簡略化され、そして、キャップを製造するために従来の技術が使用され得る。たとえば、キャップは、熱可塑性材料、たとえば、ポリプロピレン、ＡＢＳ、ポリスチレン、ポリアミド、ポリエチレン等から製作された単一射出成形部品として提供され得る。
【００４３】
別の実施形態によれば、キャップは保持部材を包含する。保持部材はハウジング上の対応する嵌め合い保持部材に回転自在に係合できる。
【００４４】
この実施形態においては、キャップは、ハウジングに対して固定されてもよい。それ故、カートリッジホルダによって可視化される情報は、窓開口部を通して表示され得る。しかしながら、ハウジングに対してキャップを回転自在に固定する必要はない。さらにまた、使用者は、任意の位置でキャップをハウジングに係合させることができる。それ故、ハウジングに対する向きを間違えることがなく、キャップで薬物送達デバイスを閉じるのが容易になる。
【００４５】
上記の目的のために、キャップは、近位端および遠位端を有するハウジングと、カートリッジを保持するようになっているカートリッジホルダとを有し、カートリッジホルダがハウジングに恒久的にまたは取り外し自在に固着される薬物送達デバイスの遠位端を覆うのに使用される。ここでは、キャップは窓開口部を包含し、窓開口部は、カートリッジホルダによって可視化される情報を表示できる。
【００４６】
他の特徴は、添付図面と併せて考察すると、以下の詳細な説明から明らかになろう。
【図面の簡単な説明】
【００４７】
【図１】一実施形態による薬物送達デバイスを概略的に示す簡略透視図である。
【図２】一実施形態による薬物送達デバイスの一部を概略的に示す簡略側面図である。
【図３】一実施形態による薬物送達デバイスの一部を概略的に示す簡略側面図である。
【図４Ａ】一実施形態による薬物送達デバイスの一部を概略的に示す簡略側面図である。
【図４Ｂ】一実施形態による薬物送達デバイスの一部を概略的に示す簡略側面図である。
【図４Ｃ】一実施形態による薬物送達デバイスの一部を概略的に示す簡略側面図である。
【図４Ｄ】一実施形態による薬物送達デバイスの一部を概略的に示す簡略側面図である。
【００４８】
図１に、薬物送達デバイス５の一実施形態が示されており、これは、液体薬剤用の注射器であってもよい。この薬物送達デバイスは、薬物の複数回分の固定された、または使用者設定可能な投与量を送達するように構成され得る。薬物送達デバイス５は、ペン型デバイスであってもよい。薬物送達デバイス５は、単一部材または複数の部材から形成され得るハウジング１０を含んでなる。
【００４９】
図１に示される実施形態においては、ハウジング１０は、カートリッジホルダ１４に取り付けられており、医療製品または薬物を入れているカートリッジ１６を設置できる。カートリッジホルダ１４は、ハウジング１０に対して動かないように固着され得る。カートリッジ１６の近位端は、図１において、一点鎖で示されている。
【００５０】
ニードルユニット（図１には示されていない）が、薬物送達デバイス５の遠位端２２に設置され得る。このニードルユニットを通して、医療製品が患者に注射され得る。ニードルユニットは、螺合によって、ニードルホルダ２０に固着され得る。通常、ニードルホルダ２０は、カートリッジホルダ１４の一部をなす。
【００５１】
医療製品の送達はピストン・ロッド２４により行われ得る。ピストン・ロッド２４は、カートリッジ１６に対して遠位方向に移動し得る。カートリッジ１６内に保持され、近位側２８でカートリッジを密封しているピストン２６は、ピストン・ロッド２４によって、カートリッジに対して遠位方向２２に移動し得る。カートリッジホルダ１４は、カートリッジ１６内のピストン２６の位置を見ることを可能にするために透明または半透明の材料で製作される。
【００５２】
ここで、図１に示される薬物送達デバイス５の説明がほんの一例に過ぎないことに留意されたい。全機能を達成するためには他のエレメントも必要であり得る。たとえば、投与ボタン３０および駆動機構（図１には示されていない）が存在し得る。これらのエレメントは、投与ボタン３０を押圧した際に医療製品の調整量が計量分配されるように、調整された投与量値を投与したり、ピストン・ロッドおよびピストン２４を遠位方向に動かすように構成される。
【００５３】
薬物送達デバイス５の汚染を防ぐために、薬物送達デバイス５が使用されていないときにはキャップ４０が薬物送達デバイス５に取り付けられる。キャップ４０は、ニードルホルダ２０およびカートリッジホルダ１４を含め薬物送達デバイス５の遠位端２２を覆う。キャップ４０は単一部材であってもよい。キャップ４０は、たとえば、単一の射出成形部品であってもよい。
【００５４】
キャップ４０およびカートリッジホルダ１４は、薬物送達デバイス５の遠位端２２、近位端２８間に定められている長手方向軸線に関して回転方向に自由に動けるようにキャップ４０をカートリッジホルダ１４に対して固着する一組の保持部材を包含してもよい。キャップ４０の内面上に位置する保持部材（図１には示されていない）は、カートリッジホルダ１４上の対応する保持部材４２内に係合できる。
【００５５】
図１に示すように、嵌め合い保持部材４２は、キャップ４０の内面に設けた対応するくぼみ内に係合できるクランプを含んでなる。キャップのくぼみは、クランプが係合してカートリッジホルダ１４に固定される溝として形成され得る。この溝に沿って、キャップ４０は、カートリッジホルダ１４に関して回転方向に自由に動くことができる。
【００５６】
しかしながら、たとえば、キャップ４０に設けたくぼみおよびカートリッジホルダ１４に設けた対応するクランプを包含する他の配置も考えられる。嵌め合い保持部材４２は、たとえば、環状溝であってもよい。キャップ４０のクランプは、環状溝に係合に係合してカートリッジホルダ１４に固定され得る。ここで再び、キャップ４０は、カートリッジホルダ１４に関して回転方向に自由に動くことができる。
【００５７】
図１に示すように、キャップ４０は窓開口部４４を含む。キャップ４０は、２つの窓開口部４４（明示的に示していない）を包含し得る。２つの窓開口部４４は、互いに対して軸線方向に斜めにオフセットして配置されていてもよい。少なくとも１つの窓開口部４４を通して、カートリッジホルダ１４によって可視化される情報が表示され得る。カートリッジホルダ１４によって可視化される情報は、窓開口部４４を通して表示され得る。さらにまた、それぞれの窓開口部４４の位置から軸線方向に情報は、キャップ４０により隠され得る。隠された情報は、それがそれぞれの窓開口部４４の角度位置と無関係にキャップ４０によって覆われるので、キャップ４０が薬物送達デバイス１の遠位端を覆うと、その隠された情報は存在し得るけれども使用者には見えない。キャップ４０が取り外されると、隠された情報が見えるようになり、使用者によって検索され得る。
【００５８】
次に図２に言及するに、ここには、キャップ４０および薬物送達デバイス５の遠位端がより詳しく示されている。
【００５９】
図２に示される実施形態においては、キャップ４０およびカートリッジホルダ１４は、カートリッジホルダによって可視化される情報が窓開口部４４を通して見ることができる投与量スケール６０を含むように構成される。
【００６０】
窓開口部４４は、図２に示される実施形態においては、細長いスリットとして形成される。しかしながら、他の形態の窓開口部、たとえば、矩形または他の任意の適した形態も同様に考えられる。さらにまた、キャップ４０は、さらなる情報を表示するためのさらなる開口窓（図２には示されていない）を含んでいてもよい。
【００６１】
図２に示される実施形態においては、キャップ４０はいくつかの記号６２を包含する。これらの記号は、キャップ４０の外面にある数字として印刷、マーク付けまたは成形される。数字は、カートリッジホルダ１４内のカートリッジ１６の充填状況を示すことができる。図２には、１から７までの範囲にある数字が示されている。この設計は、固定投与量式ペン型注射器にとって特に有用であり、その場合、使用者の制御し得ない投与量が適用され、したがって、ピストンの運動が残っている投与量分に直接関連させられる。
【００６２】
次に図３に言及するに、ここには、薬物送達デバイス５の遠位部分上にあるカートリッジホルダがより詳しく示されている。
【００６３】
図３に示される実施形態においては、カートリッジホルダは投与量スケール６０を包含する。医薬製品のタイプに関する別の情報または医療製品の製造に関する別の情報（たとえば、製造日またはバー・コード化された製造情報）も存在し得る（図３には示されていない）。ここで、情報の一部をカートリッジに印刷してもよく、その場合は、カートリッジホルダの透明な側壁を通して伝達されることに留意されたい。
【００６４】
投与量スケール６０は、近位端、遠位端間にある長手方向軸線５４に関して回転対称にカートリッジホルダ１４に設けられる。投与量スケール６０は、カートリッジホルダに関するキャップの異なった向きにおいて、窓開口部を通して見える。投与量スケール６０は、たとえば、カートリッジホルダ上の環状円のような線形の要素として形成される。
【００６５】
図２および図３からわかるように、窓開口部４４は、表示される情報の枠取りを窓開口部４４の下にあるカートリッジホルダのこれらの部分のみが見えるように与える。図２および図３の実施形態において、投与量スケールだけが窓開口部４４を通して見えており、使用者は、別の情報記号によって、惑わされることなく、明快な形で充填状態情報を検索することができる。また、２つの互いに反対側に配列された窓開口部４４をキャップ４０上に備えていてもよい（明示的に図示していない）。第１の窓開口部４４は、カートリッジホルダ１４上に備えた投与量スケールを表示するように配置されてもよい。さらにまた、第１の窓開口部４４は、カートリッジ１６の充填状態を表示するように備えてもよい。第２の窓開口部４４が、医薬製品についての情報、たとえばその名称を与えるように配置してあってもよい。
【００６６】
ここで、本発明が充填状態情報を提供することにのみ限定されないことに留意されたい。さらにまた、キャップ４０は、使用者についての付加的な情報を与える別の記号を含み得る。たとえば、文字または数字をキャップ４０に印刷または成形してもよい（図２には示されていない）。
【００６７】
次に図４Ａ〜４Ｄに言及するに、ここには、薬物送達デバイス５の別の実施形態が示されている。
【００６８】
図４Ａ〜４Ｄにおいて、カートリッジ１６内のピストンの位置が窓開口部を通して見えている。
【００６９】
薬物が薬物送達デバイスから分配されるとき、ピストンはカートリッジの遠位端に向って前方へ前進移動する。少なくとも部分的に透過な側壁を通して、ピストン２６の位置が見え、窓開口部を通してピストンを観察することによって薬物送達デバイス５の充填状態が検出され得る。
【００７０】
投与量スケール６０との組み合わせで、ピストンの位置によって与えられる充填状態情報は、カートリッジ内に残っている多数回の投与量に変え得る。これは固定投与量式デバイスにとって特に有用である。
【００７１】
図４Ａ〜４Ｄに示されているように、窓開口部は複数の副窓７０を包含する。副窓７０は、前進するスケールとして投与量情報を指し示す。充填状態に関する情報は、１から７までの範囲にある記号６２として与えられている。薬物送達デバイスから投与されることになっている残留投与分の回数についての情報は容易に検索され得る。
【００７２】
図４Ａの実施形態は、これまで計量分配されなかった投与量を示す新しい薬物送達デバイスに対応する。図４Ｂは、１回分の投与量が投与された、すなわち、６回の投与量が残っている同じ薬物送達デバイスを示している。図４Ｃは３回分を投与した薬物送達デバイスを示し、図４Ｄは４回分が投与された薬物送達デバイスを示している。
【００７３】
他の実装は添付する特許請求の範囲内にある。異なった実装のエレメントを組み合わせてここに具体的に記載していない実装を形成できる。
【符号の説明】
【００７４】
薬物送達デバイス      ５
ハウジング          １０
カートリッジホルダ  １４
カートリッジ        １６
ニードルホルダ      ２０
遠位端              ２２
ピストン・ロッド    ２４
ピストン            ２６
近位端              ２８
投与ボタン          ３０
キャップ            ４０
嵌め合い保持部材    ４２
窓開口部            ４４
長手方向軸線        ５４
投与量スケール      ６０
記号                ６２
副窓                ７０
【図１】
2012513271.tif 000003
【図２】
2012513271.tif 000004
【図３】
2012513271.tif 000005
【図４Ａ】
2012513271.tif 000006
【図４Ｂ】
2012513271.tif 000007
【図４Ｃ】
2012513271.tif 000008
【図４Ｄ】
2012513271.tif 000009
【国際調査報告】
2012513271.tif 000010
2012513271.tif 000011
2012513271.tif 000012